(57)【特許請求の範囲】
【請求項１】
天井内または室壁内に設置され、室内側に設けた室内側開口と、この室内側開口に対向する室外側に設けた第１の室外側開口を有する第１のアダプター接続部と、前記室内側開口から前記第１の室外側開口に至る通風方向に略直交する通風方向を有するように前記室内側開口と連通させた第２の室外側開口を有する第２のアダプター接続部とを設けた本体と、ダクトと前記本体とを連通させるために第１のアダプター接続部または第２のアダプター接続部に接続されるアダプターと、このアダプターが接続されない第１のアダプター接続部または第２のアダプター接続部に接続される遮蔽部材と、室内側に設けられ、前記本体の室内側開口と室内とを連通させるグリルとを設け構成した換気装置であって、第１のアダプター接続部または第２のアダプター接続部に接続したとき、通風路の一部となり、整流する形状を有する突出部を遮蔽部材に設けた換気装置。
【請求項２】
発泡スチロールで形成された本体の外周に固定された枠体と、この枠体によって保持され、天井内または室壁内の取り付け寸法に合わせて自在に摺動可能な本体固定部材とを設けた請求項１記載の換気装置。
【請求項３】
特定の２つの本体取り付け寸法に設定可能なように摺動可能範囲を限定される本体固定部材を設けた請求項２記載の換気装置。
【発明の詳細な説明】
【０００１】
【発明の属する技術分野】
天井内または室壁内に取り付けられ、ダクトを通して通風する換気装置に関する。
【０００２】
【従来の技術】
従来、この種の換気装置としては、天井内取り付け用と室壁内取り付け用の換気装置がそれぞれ構成されていた。図１３に天井内取り付け用換気装置の構成を示し、また、図１４に室壁内取り付け用換気装置の構成を示し、以下、それぞれの構成を図１３または図１４を参照しながら説明する。
【０００３】
図１３に示すように、室内側開口１０２と直交するダクト１０３と接続されるアダプター１０４を側面に備えた本体１０５を天井１０７内に吊ボルト１０１で設置し、室内側開口１０２と連通するグリル１０６を本体１０５の下面に取り付け、換気装置を構成していた。
【０００４】
また、図１４に示すように、室壁１１５内に保持され、胴縁１０９に固定される固定金具１１０によって設置され、室内側開口１１１と室外側の対向する位置にダクト１１２と接続されるアダプター１１３を備えた本体１０８に、室内側開口１１１と連通するグリル１１４を取り付け、換気装置を構成していた。
【０００５】
【発明が解決しようとする課題】
このような従来の換気装置においては、天井内取り付け用の換気装置を室壁内取り付けの用途に、または、室壁内取り付け用の換気装置を天井内取り付けの用途に使用することはできないという課題があった。また、天井内取り付け時に上方またはアダプター１０４に直交する側方からダクト接続が必要な場合や、室壁内取り付け時に上方または側方からダクト接続が必要な場合等の各現場での特殊な施工に対応することができず、施工時の機器取り付けに拡張性がないという課題があった。
【０００６】
さらに、具体的に、図１３または図１４の換気装置を取り付けるときの課題について説明する。
【０００７】
本体１０５または１０８の取り付けにおいては、吊ボルトによる固定、および梁、野縁、根太等へのネジ止めによる固定方法がとられることが多い。本体１０５の取り付け時に吊ボルト１０１を使用することは単にネジ止めする施工方法に比べて非常に施工に時間がかかる。一方、ネジ止めの場合においては、取り付け寸法が重要となるが、現場に応じた取り付け寸法に対応するときは、本体１０８の取り付け寸法に合わせて固定金具１１０を先に梁等に固定し、この固定金具１１０に本体１０８を取り付けて施工することになる。固定金具１１０で取り付け寸法を調整する場合、２つの固定金具１１０をネジ止めしてから本体１０８を固定する取り付け作業となるので、施工時間が長くなるとともに、２つの固定金具１１０の平行が取れていないと本体１０８の取り付けができなくなることから、固定金具１１０の取り付け位置調整も必要となり手間がかかる。
【０００８】
本発明は上記課題を解決するためのもので、１台で天井内または室壁内に設置でき、特殊な施工の対応時においても拡張性を備え、また、容易に取り付け作業が行える換気装置を提供することを目的とする。
【０００９】
【課題を解決するための手段】
本発明の換気装置においては、室内側に設けた室内側開口と、この室内側開口に対向する室外側に設けた第１の室外側開口を有する第１のアダプター接続部と、前記室内側開口から前記第１の室外側開口に至る通風方向に略直交する通風方向を有するように前記室内側開口と連通させた第２の室外側開口を有する第２のアダプター接続部とを設け天井内または室壁内に設置される本体と、ダクトと前記本体とを連通させるために第１のアダプター接続部または第２のアダプター接続部に接続されるアダプターと、室内側に設けられ、前記本体の室内側開口と室内とを連通させるグリルとを設け構成したものである。
【００１０】
この発明によれば、１台で天井内または壁内に設置でき、各現場の特殊な施工の対応時においても拡張性を備えた換気装置を提供できる。
【００１１】
また、発泡スチロールで形成された本体の外周に固定された枠体と、この枠体によって保持され、天井内または室壁内の取り付け寸法に合わせて自在に摺動可能な本体固定部材とを設け構成したものである。
【００１２】
この発明によれば、容易に取り付け作業が行える換気装置を提供することができる。
【００１３】
【発明の実施の形態】
本発明の請求項１に記載の発明は、天井内または室壁内に設置され、室内側に設けた室内側開口と、この室内側開口に対向する室外側に設けた第１の室外側開口を有する第１のアダプター接続部と、前記室内側開口から前記第１の室外側開口に至る通風方向に略直交する通風方向を有するように前記室内側開口と連通させた第２の室外側開口を有する第２のアダプター接続部とを設けた本体と、ダクトと前記本体とを連通させるために第１のアダプター接続部または第２のアダプター接続部に接続されるアダプターと、このアダプターが接続されない第１のアダプター接続部または第２のアダプター接続部に接続される遮蔽部材と、室内側に設けられ、前記本体の室内側開口と室内とを連通させるグリルとを設け構成した換気装置であり、アダプターの位置を変更することにより、容易に天井内取り付け用にも室壁内取り付け用換気装置にも変更でき、かつ、第１の室外側開口または第２の室外側開口からの通風に対して整流作用が得られ、通気抵抗が減少する。
【００１４】
以下、本発明の実施の形態について図１〜図１２を参照しながら説明する。
【００１５】
（実施の形態１）
図１および図２に示すように、天井１内または室壁１４内に設置され、室内側に設けた室内側開口２と対向する室外側に設けた第１の室外側開口３を有する第１のアダプター接続部４と、室内側開口２から第１の室外側開口３に至る通風方向に略直交する通風方向を有するように室内側開口２と連通させた第２の室外側開口５を有する第２のアダプター接続部６を設けた本体７と、ダクト８と本体７とを連通させるために第１のアダプター接続部４または第２のアダプター接続部７に接続されるアダプター９と、このアダプター９が接続されない第１のアダプター接続部４または第２のアダプター接続部６に接続される風路を閉じる遮蔽部材１０と、室内側に設けられ、本体７の室内側開口２と室内とを連通させるグリル１１とを設け構成する。
【００１６】
また、図１および図３に示すように、長矩形の室内側開口２を有した本体７は、短辺側側面７ａから室内側に設けた室内側開口２と対向する室外側に設けた第１のアダプター接続部４にかけて、幅狭に傾斜する傾斜部７ｂを有する。
【００１７】
なお、本体７は傾斜部７ｂが曲面でも、傾斜部７ｂを略Ｌ字型に形成した箱状でもよい。
【００１８】
また、発泡スチロールで形成される本体７の外周に、図４に示すような、２つのＬ字部材によって形成される枠体１２と、この枠体１２によって保持され、枠体１２の長手方向に自在に摺動可能な本体固定部材１３とを設ける構成とする。本体固定部材１３は、開口１３ａを有する保持片１３ｂが両端から突出したコの字形であり、枠体１２の短辺部１２ａを開口１３ａを通して保持することにより、本体固定部材１３を左右に摺動させることができ、本体固定部材１３の摺動範囲は開口１３ａの摺動方向長さに対応する。
【００１９】
また、左右の本体固定部材１３を互いに摺動方向の外方側に向けて移動させると、短辺部１２ａは開口１３ａの摺動方向の内方側の端面に衝突することで規制され、一方、左右の本体固定部材１３を互いに摺動方向の内方側に向けて移動させると、短辺部１２ａは本体固定部材１３に衝突することで規制されることとなり、左右の本体固定部材１３の間隔は特定の２つの本体取り付け寸法に容易に設定される。
【００２０】
また、図５に示すように、第２のアダプター接続部６は、室内側開口２から第１の室外側開口３に至る通風路の途中から立ちあがり、室内側開口２から第１の室外側開口３に至る通風路に対して略直交するように、室内側開口２と連通して形成される。また、発泡スチロールで形成した第２のアダプター接続部６とアダプター９を接続する際に、嵌合部６ｂの内周面と嵌合部９ｂの外周面とを互いに嵌合させたときは、その嵌合部分の外周面と内周面に段差がないように構成する。
【００２１】
また、第１のアダプター接続部４の外周部、第２のアダプター接続部６の外周部、アダプター９のそれぞれの外周に少なくとも１個の平面部４ａ、６ａ、アダプターの平面部９ａを有する構成とする。
【００２２】
また、図６および図７に示すように、本体７を発泡スチロールで形成し、内部に第１の室外側開口３からの通風に対して分流し、第２の室外側開口５からの通風に対して整流するＶ字形状の流量調整部１５を設ける構成とする。
【００２３】
上記構成において、本発明の換気装置は、空調機器または送風機器等とダクト８を介して接続され、前記機器と室内との通風経路の端部に設置され、室内への給気または室内からの排気を行う。
【００２４】
また、天井１内に設置される場合、第１のアダプター接続部４にアダプター９を、第２のアダプター接続部６に遮蔽部材１０を接続することも可能であり、ダクト８が本体７に対して横方向から配管される場合だけでなく、ダクト８が上方から配管される施工条件にも対応できる。室壁１４内に設置される場合、第２のアダプター接続部６にアダプター９を、第１のアダプター接続部４に遮蔽部材１０を接続することも可能であり、ダクト８が本体７に対して横方向に配管される場合だけでなくダクト８が上方から配管される施工条件にも対応できることから、特殊な施工の対応時においても拡張性を備え、また、容易に取り付け作業が行える。
【００２５】
また、施工時において、アダプター９および遮蔽部材１０との位置を変更することによって、容易に天井内取り付け用換気装置と室壁内取り付け用換気装置に共用することができる。
【００２６】
また、従来は天井１内および室壁１４内の小スペースを利用して大風量の給排気を行う場合、小口径ダクトを２本使用し、それぞれのダクトに別個の換気装置を接続して対応していたが、第１のアダプター接続部４および第２のアダプター接続部６にアダプター９を接続し、２本のダクトの接続も可能であるので、１台の換気装置で大風量タイプに対応可能となり、省施工化ができる。
【００２７】
また、本体７が取り付けられる梁、野縁、根太等の間隔に本体固定部材１３の位置を調整し、通風方向または通風方向に垂直な方向に設けられた長穴を利用して梁、野縁、根太等にネジ止め固定されることから、容易に取り付け作業が行える。
【００２８】
また、発泡スチロールで形成された本体７の外周に固定された枠体１２と、この枠体１２によって保持され、天井１内または室壁１４内の取り付け寸法に合わせて自在に摺動可能な本体固定部材１０とを設けたことにより、任意の本体取り付け寸法に対して容易に施工が行える。
【００２９】
また、２×４住宅に見られる、根太の基準ピッチに対して２×４材を１枚ずつ配置して形成されるシングル根太間や、根太の基準ピッチに対して２×４材を２枚重ねて配置して形成されるダブル根太間という特有の２つの建築構造体への施工に対して、本体固定部材１３の位置を瞬時にそれぞれの根太間に調整して根太にネジ止め固定できることから容易に取り付け作業が行えることとなる。
【００３０】
また、枠体１２および本体固定部材１３は通風に対して熱的に独立することとなり、冷風を通風する場合において、枠体１２および本体固定部材１３に熱伝導率の高い材料を用いた場合にも結露の心配が必要なくなり、パッキンを施す等の結露対策が要らなくなり、コストを抑えることができる。
【００３１】
また、第１のアダプター接続部４、または第２のアダプター接続部６とアダプター９との仮固定ができ、嵌合部分の外周面に段差が無いことから、テープ止めがし易く、また、嵌合部分の内周面に段差がなく内面抵抗を低減できる。さらに、発泡スチロールで形成しているため、嵌合部６ｂおよび嵌合部９ｂの肉厚を十分に取ることができ、第１のアダプター接続部４、第２のアダプター接続部６にかかるダクト８を接続することによって発生する応力に対して強く、抜けにくい。さらに、発泡スチロールによって形成される厚肉部によって、第１のアダプター接続部４、第２のアダプター接続部６とアダプター９との密着性も高くなる。
【００３２】
また、第１のアダプター接続部４とアダプター９を接続するとき、または第２のアダプター接続部６とアダプター９を接続するときは、アダプター９にダクト８を接続することによって、第１のアダプター接続部４とアダプター９の接合部、または第２のアダプター接続部６とアダプター９との接合部にかかる応力に対して、平面部４ａ、６ａ、アダプターの平面部９ａでこの応力を受けることから、アダプター９が外れにくくなるとともに、回りにくくなり、アダプター９の接続力が増すこととなる。
【００３３】
また、第１のアダプター接続部４の方向からの通風に対して、流量調整部１５によって、図６中の矢印のような通風路が形成され、吹出し空気が一部分流されることにより室内側開口２からの吹出しバランスが良くなる。さらに、第２のアダプター接続部６の方向からの通風に対して、流量調整部１５によって、図７中の矢印のような通風路が形成され、吹出し空気が整流されることから通気抵抗が低減される。
【００３４】
このように本発明の実施の形態１の換気装置によれば、室内側に設けた室内側開口２と対向する室外側に設けた第１の室外側開口３を有する第１のアダプター接続部４と、室内側開口２から第１の室外側開口３に至る通風方向に略直交する通風方向を有するように室内側開口２と連通させた第２の室外側開口５を有する第２のアダプター接続部６を設けた本体７と、ダクト８と前記本体７とを連通させるために第１のアダプター接続部４または第２のアダプター接続部６に接続されるアダプター９と、室内側に設けられ、本体７の室内側開口２と室内とを連通させるグリル１１とを設け構成したので、１台で天井取り付け用換気装置と壁取り付け用換気装置の機能を有し、特殊な施工の対応時においても拡張性を備え、また、容易に取り付け作業が行えることとなる。
【００３５】
（実施の形態２）
図８に示すように、第１の室外側開口３および第２の室外側開口５に略直交する第３の室外側開口１６を有する第３のアダプター接続部１７を本体７Ａに設け構成する。
【００３６】
本体７Ａは長矩形の室内側開口２を有し、短辺側側面７ａから室内側開口２と対向する室外側の第１のアダプター接続部４にかけて、長辺側側面７ｃよりも幅狭な上方に延設した平面部７ｄを有する。また、平面部７ｄは曲面で形成されていてもよい。
【００３７】
また、図９および図１０に示すように、本体７Ａを発泡スチロールで形成し、内部に第１の室外側開口３からの通風に対して分流し、第２の室外側開口５からの通風に対して整流する略Ｖ字形状の流量調整部１８を設け、また、第３の室外側開口１６からの通風に対して分流する略Ｌ字壁形状の流量調整部１９を設けた構成とする。
【００３８】
上記構成において、本体７Ａを天井（図示せず）内に設置される場合、第１のアダプター接続部４または第３のアダプター接続部１７にアダプター９を接続し、第２のアダプター接続部６に遮蔽部材１０を接続することも可能であり、ダクト（図示せず）が上方または室内側開口２の短辺側側面７ａから配管される場合にも対応できることとなる。また、室壁（図示せず）内に設置される場合、第２のアダプター接続部６または第３のアダプター接続部１７にアダプター９を接続し、第１のアダプター接続部３に遮蔽部材１０を接続することも可能であり、ダクト（図示せず）が室内側開口２の短辺側側面７ａまたは長辺側側面７ｃから配管される場合にも対応できることから、特殊な施工の対応時においても拡張性を備えた換気装置となる。
【００３９】
また、従来は天井（図示せず）内および室壁（図示せず）内の小スペースを利用して大風量の給排気を行う場合、小口径ダクトを３本使用し、それぞれのダクトに換気装置を接続して対応していたが、第１のアダプター接続部４、第２のアダプター接続部６、および第３のアダプター接続口１７にアダプター９を接続し、３本のダクトの接続も可能となるので、１台の換気装置で大風量タイプに対応可能となる。
【００４０】
また、第１の室外側開口１６の方向からの通風に対して、流量調整部１８によって図９中の矢印のような通風路Ａが形成され、吹出し空気が一部分流されることにより、室内側開口２からの吹出しバランスが良くなる。さらに、第２の室外側開口５の方向からの通風に対して、流量調整部１８によって図１０中の矢印のような通風路が形成され、吹出し空気が整流されることから通気抵抗が低減される。また、第３の室外側開口１６の方向からの通風に対して、流量調整部１９によって図９中の矢印のような通風路Ｂが形成され、吹出し空気が一部分流されることにより、室内側開口２からの吹出しバランスが良くなる。
【００４１】
このように本発明の実施の形態２の換気装置によれば、第１の室外側開口３および第２の室外側開口５に略直交する第３の室外側開口１６を有する第３のアダプター接続部１７を本体７Ａに設け構成したので、１台で天井取り付け用換気装置と壁取り付け用換気装置の機能を有し、特殊な施工の対応時においても拡張性を備えた換気装置となる。
【００４２】
（実施の形態３）
図１１および図１２に示すように、第２のアダプター接続部６に接続したとき、通風路の一部となり、第１のアダプター接続部４から遠ざかるにつれて突出量が大きくなるとともに、第１のアダプター接続部４に接続したとき、通風路の一部となり、第２のアダプター接続部６から遠ざかるにつれて突出量が大きくなる曲面を有する突出部２０を遮蔽部材１０Ａに設けた構成とする。
【００４３】
上記構成において、流線形の通風路が形成されることにより、第１の室外側開口３または第２の室外側開口５からの通風に対して、図中の矢印のような通風路が形成され、整流作用により通気抵抗が減少する。
【００４４】
このように本発明の実施の形態３の換気装置によれば、第１のアダプター接続部４および第２のアダプター接続部６に遮蔽部材１０Ａを接続したとき、突出部２０が通風路の一部となり、整流する構成としたので、第１の室外側開口３または第２の室外側開口５からの通風に対して整流作用が得られ、通気抵抗が減少する。
【００４５】
【発明の効果】
以上の実施の形態から明らかなように、本発明の請求項１によれば、１台で天井取り付け用換気装置と壁取り付け用換気装置の機能を有し、さらに、各現場での特殊対応時においての拡張性を有し、かつ、通気抵抗を低減できる。
【００４６】
また、本発明の請求項２によれば、任意の取り付け寸法に対して容易に調整が可能となり、容易に施工が行える。
【００４７】
また、本発明の請求項３によれば、２×４住宅のような固有の根太間寸法に対応して、容易に施工が行える。
【図面の簡単な説明】
【図１】本発明の実施の形態１の換気装置の天井取り付け状態を示す斜視図
【図２】同換気装置の壁取り付け状態を示す斜視図
【図３】同換気装置の本体を示す正面図
【図４】同換気装置の枠体および本体固定部材を示す斜視図
【図５】同換気装置の嵌合部分を示す断面図
【図６】同換気装置の流量調整部を示す断面図
【図７】同換気装置の流量調整部を示す断面図
【図８】本発明の実施の形態２の換気装置を示す斜視図
【図９】同換気装置の流量調整部を示す断面図
【図１０】同換気装置の流量調整部を示すＡ−Ａ断面図
【図１１】本発明の実施の形態３の換気装置の遮蔽部材を示す断面図
【図１２】同換気装置の遮蔽部材を示す断面図
【図１３】従来の天井取り付け用換気装置の取り付け状態を示す斜視図
【図１４】従来の壁取り付け用換気装置の取り付け状態を示す斜視図
【符号の説明】
１          天井
２          室内側開口
３          第１の室外側開口
４          第１のアダプター接続部
４ａ        平面部
５          第２の室外側開口
６          第２のアダプター接続部
６ａ        平面部
６ｂ        嵌合部
７          本体
７Ａ        本体
７ａ        短辺側側面
７ｂ        傾斜部
７ｃ        長辺側側面
７ｄ        平面部
８          ダクト
９          アダプター
９ａ        アダプターの平面部
９ｂ        嵌合部
１０        遮蔽部材
１０Ａ      遮蔽部材
１１        グリル
１２        枠体
１３        本体固定部材
１３ａ      本体固定部材の開口
１４        壁面
１５        流量調整部
１６        第３の室外側開口
１７        第３のアダプター接続部
１８        流量調整部
１９        流量調整部
２０        突出部
【図１】
0003878820.tif 000002
【図２】
0003878820.tif 000003
【図３】
0003878820.tif 000004
【図４】
0003878820.tif 000005
【図５】
0003878820.tif 000006
【図６】
0003878820.tif 000007
【図７】
0003878820.tif 000008
【図８】
0003878820.tif 000009
【図９】
0003878820.tif 000010
【図１０】
0003878820.tif 000011
【図１１】
0003878820.tif 000012
【図１２】
0003878820.tif 000013
【図１３】
0003878820.tif 000014
【図１４】
0003878820.tif 000015